(57)【要約】【課題】コンパクトで、洗面ボウルの周りを清潔に保つことができる手洗い装置を提供する。【解決手段】本発明の手洗い装置は、洗面ボウル２２を有する洗面台２１と、洗面台２１の後側に取り付けられて洗面ボウル２２の内部に向かって水を吐出する吐水部３０と、洗面台２１の後側に取り付けられて洗面ボウル２２の内部に向かって洗浄剤を吐出する洗浄剤吐出部４０と、洗面台２１の後側かつ吐水部３０及び洗浄剤吐出部４０より上方に設置されてエアを吹き出す吹出口５１，５２を有するエアタオル部５０と、を備える。【選択図】図７
2020081230.tif 000002
【特許請求の範囲】
【請求項１】
洗面ボウルを有する洗面台と、
前記洗面台の後側に取り付けられて前記洗面ボウルの内部に向かって水を吐出する吐水部と、
前記洗面台の後側に取り付けられて前記洗面ボウルの内部に向かって洗浄剤を吐出する洗浄剤吐出部と、
前記洗面台の後側かつ吐水部及び前記洗浄剤吐出部より上方に設置され、エアを吹き出す吹出口を有するエアタオル部と、
を備える、手洗い装置。
【請求項２】
平面視において、前記エアタオル部は、前記吐水部と前記洗浄剤吐出部との間に配置されている、
請求項１に記載の手洗い装置。
【請求項３】
前記吹出口は２つ形成され、
２つの前記吹出口のうち第１の吹出口は前記洗面ボウルの右側半分に向けられ、
２つの前記吹出口のうち第２の吹出口は前記洗面ボウルの左側半分に向けられている、
請求項１又は２に記載の手洗い装置。
【請求項４】
前記吐水部の幅方向外側に第１の側板を、前記洗浄剤吐出部の幅方向外側に第２の側板をさらに備え、
前記第１の側板及び前記第２の側板は前記洗面台と一体化されている、
請求項１から３のいずれか一項に記載の手洗い装置。
【請求項５】
前記洗面ボウルの内周面はＲ面取りされている、
請求項１から４のいずれか一項に記載の手洗い装置。
【請求項６】
前記エアタオル部の側方に吸気口が形成されている、
請求項１から５のいずれか一項に記載の手洗い装置。
【請求項７】
前記吸気口の近傍に、芳香剤が配置されている、
請求項６に記載の手洗い装置。
【請求項８】
前記洗面ボウルの前面及び側面は、底部から高くなるにしたがって前記洗面ボウルの平面視中心に近づくように傾斜している、
請求項１から７のいずれか一項に記載の手洗い装置。
【発明の詳細な説明】
【技術分野】
【０００１】
本発明は、手洗い装置に関する。
【背景技術】
【０００２】
近年、化粧室には、手を洗う洗面台と、洗面台で洗った手を乾かすエアタオルが設置されている。エアタオルは、洗面台とは離れた場所に設けられることが多いが、例えば特許文献１の手洗装置では使用者から見て洗面ボウルの手前側に設けられている。
【先行技術文献】
【特許文献】
【０００３】
【特許文献１】特開２００２−３１５６８３号公報
【発明の概要】
【発明が解決しようとする課題】
【０００４】
特許文献１に記載されている手洗装置では、エアタオル用のファンモータや温風ヒータが洗面台の下部に設けられている。ファンモータや温風ヒータからのエアは、エアホースによって洗面ボウルの手前側に運ばれ、吹出口から洗面ボウルの内部の手に向かって吹き出す。このような構成では、洗面ボウル内で手洗いと乾燥を行うことができる。しかしながら、手洗い用の吐水口及びムース状の洗浄液の吐出口とエアの吹出口とを洗面ボウルの奥側と手前側（すなわち、使用者から見て後側と前側）に分けて配置すること、手洗い用の吐水センサの感知領域と乾燥センサの感知領域とが重ならないようにすること等の観点から、洗面台の設置スペースを要し、洗面台のコンパクト化が難しいという問題があった。特に、飲食店の化粧室のように設置スペースに余裕をもたせるのが難しい場合に、特許文献１に記載されている手洗い装置を設置するのは困難である。
【０００５】
また、特許文献１に記載されている手洗装置において、吹出口からエアが手に向かって略水平方向又はやや上方に吹き出すと、手から吹き飛ばされた水が洗面ボウルの周りの洗面台に飛散し、洗面台の清潔度が低下する虞があった。
【０００６】
上記事情を鑑み、本発明は、コンパクトで、洗面台を清潔に保つことができる手洗い装置を提供する。
【課題を解決するための手段】
【０００７】
本発明の手洗い装置は、洗面ボウルを有する洗面台と、前記洗面台の後側に取り付けられて前記洗面ボウルの内部に向かって水を吐出する吐水部と、前記洗面台の後側に取り付けられて前記洗面ボウルの内部に向かって洗浄剤を吐出する洗浄剤吐出部と、前記洗面台の後側かつ前記吐水部及び前記洗浄剤吐出部より上方に設置され、エアを吹き出す吹出口を有するエアタオル部と、を備える。
【０００８】
本発明の手洗い装置では、平面視において、前記エアタオル部は、前記吐水部と前記洗浄剤吐出部との間に配置されている。
本発明の手洗い装置では、前記吹出口は２つ形成され、２つの前記吹出口のうち第１の吹出口は前記洗面ボウルの右側半分に向けられ、２つの前記吹出口のうち第２の吹出口は前記洗面ボウルの左側半分に向けられている。
本発明の手洗い装置では、前記吐水部の幅方向外側に第１の側板を、前記洗浄剤吐出部の幅方向外側に第２の側板をさらに備え、前記第１の側板及び前記第２の側板は前記洗面台と一体化されている。
本発明の手洗い装置では、前記洗面ボウルの内周面はＲ面取りされている。
本発明の手洗い装置では、前記エアタオル部の側方に吸気口が形成されている。
本発明の手洗い装置では、前記吸気口の近傍に、芳香剤が配置されている。
本発明の手洗い装置では、前記洗面ボウルの前面及び側面は、底部から高くなるにしたがって前記洗面ボウルの平面視中心に近づくように傾斜している。
【発明の効果】
【０００９】
本発明によれば、コンパクトで、洗面台を清潔に保つことができる手洗い装置が提供される。
【図面の簡単な説明】
【００１０】
【図１】本発明を適用した一実施形態の手洗い装置を備えた洗面化粧台の正面図である。
【図２】図１に示す洗面化粧台の右側面図である。
【図３】図１に示す洗面化粧台の左側面図である。
【図４】図１に示す洗面化粧台の平面図である。
【図５】図１に示す洗面化粧台の底面図である。
【図６】図１に示す洗面化粧台の背面図である。
【図７】図１に示す洗面化粧台の一部を拡大した斜視図である。
【図８】図１に示す洗面化粧台の一部を拡大した別の斜視図である。
【発明を実施するための形態】
【００１１】
以下、本発明の手洗い装置の実施形態について、図面を参照して説明する。
【００１２】
図１は、本発明を適用した一実施形態の手洗い装置２０を備えた洗面化粧台１０の正面図である。図２から図６のぞれぞれは、洗面化粧台１０の右側面図、左側面図、平面図、底面図、背面図である。図１から図６に示すように、洗面化粧台１０は、手洗い装置２０の他に、上側キャビネット７０、下側キャビネット８０を備える。
【００１３】
以下では、手洗い装置２０に対して使用者が立つ側を「前側」、使用者から最も離れている側を「後側」とし、前側と後側とを結ぶ方向を前後方向１とする。手洗い装置２０に対して使用者が立つ側から見て左側を単に「左側」、手洗い装置２０に対して使用者が立つ側から見て右側を単に「右側」とし、左側と右側とを結ぶ方向を左右方向２とする。床面５に対して垂直な方向を上下方向３とし、上下方向３において床面５に近い側を「下側」、上下方向３において床面５から遠い側を「上側」とする。
【００１４】
手洗い装置２０は、洗面ボウル２２を有する洗面台２１と、洗面台２１の後側及び右側に取り付けられた吐水部３０と、洗面台２１の後側及び左側に取り付けられた洗浄剤吐出部４０と、洗面台２１の後側かつ吐水部３０及び洗浄剤吐出部４０より上方に設置されたエアタオル部５０と、を備える。
【００１５】
洗面ボウル２２は、洗面台２１を構成している。洗面ボウル２２の内周面２４は、前面２５、右側面（側面）２６、左側面（側面）２７、後面２８及び底面２９を有する（図８参照）。左右方向２において、前面２５は、前後方向１において略一定の位置を保っている。右側面２６は、前側から所定の位置（例えば、前後方向１の中央）まで左右方向２において略一定の位置を保ち、前述の所定の位置から後側に進むにしたがって左側に寄っている。左側面２７は、前側から所定の位置（例えば、前後方向１の中央）まで左右方向２において略一定の位置を保ち、前述の所定の位置から後側に進むにしたがって右側に寄っている。すなわち、洗面ボウル２２の左右方向２の幅寸法は、前側から所定の位置まで略一定であり、所定の位置から後側に進むにしたがって縮小されている。
【００１６】
前面２５は、底部から高くなるにしたがって、言い換えれば下側から上側に進むにしたがって、後側に向かって傾斜している。右側面２６及び左側面２７のそれぞれは、底部から高くなるにしたがって、左側及び右側のそれぞれに向かって傾斜している。後面２８は、洗面台２１と上側キャビネット７０の後側で図示略の壁面に取り付けられている取付板９０の前側の面で構成され、床面５に対して垂直に延びている。平面視において底面２９の中央部には、排水口３５が形成されている。排水口３５には、底面２９とは上下方向３において隙間をあけた状態で目皿３６が嵌められている。底面２９は、外周部から排水口３５に向かって窄むように傾斜している。
【００１７】
内周面２４は、Ｒ面取りされている。例えば、前面２５、右側面２６、左側面２７及び後面２８と底面２９との接続部分は、Ｒ面取りされ、曲面で構成されている。また、前述の接続部分以外の箇所を含めて、洗面台２１の上面２３の曲がり部分は、Ｒ面取りされている。水や汚れを滞留させない観点から、Ｒ面取りの半径（Ｒ）は、例えば３ｍｍ以上１０ｍｍ以下であることが好ましい。
【００１８】
吐水部３０は、洗面ボウル２２の内部７に向かって水を吐出する。吐水部３０は、洗面台２１の後側かつ右側の上面２３に取り付けられている。具体的には、吐水部３０は、上面２３から洗面台２１の上方に向けて突出し、前側かつ洗面ボウル２２の前後方向１及び左右方向２の中央に向かって屈曲した後、下降している。吐水部３０の上側の面に水滴や埃等を残留しにくくすることによって吐水部３０の清潔度を高める観点から、吐水部３０の上側は、管軸方向に対して断面視したときに湾曲していることが好ましい。吐水部３０の上下方向３の所定の位置には、使用者の手が吐水部３０の前方（すなわち、平面視において吐水部３０が延びている方向の前側であって、洗面台２１の後側かつ右側から洗面台２１の中央に向かう方向に沿って吐水部３０より前側）に配置されたことを感知可能なセンサ３２が設けられている。
【００１９】
洗浄剤吐出部４０は、洗面ボウル２２の内部７に向かって洗浄剤を吐出する。具体的には、洗浄剤吐出部４０は、洗面台２１の後側かつ左側の上面２３に取り付けられている。洗浄剤吐出部４０は、上面２３から洗面台２１の上方に向けて突出しつつ、上側に進むにしたがって洗面ボウル２２の前後方向１及び左右方向２の中央に近づくように傾斜している。洗浄剤吐出部４０の上側には、洗面ボウル２２の内部７に洗浄剤を吐出する洗浄剤吐出口４１が設けられている。洗浄剤吐出部４０の上下方向３の所定の位置（例えば、上下方向３の中央部）には、使用者の手が洗浄剤吐出口４１の吐出方向（すなわち、洗面台２１の後側かつ左側から洗面台２１の中央に向かう方向）に沿って洗浄剤吐出部４０の前側に配置されたことを感知可能なセンサ４２が設けられている。
【００２０】
吐水部３０の右側（幅方向外側）には、側板（第１の側板）３７が設けられている。洗浄剤吐出部４０の左側（幅方向外側）には、側板（第２の側板）３８が設けられている。すなわち、洗面台２１の右側端部には側板３７が設けられ、洗面台２１の左側端部には側板３８が設けられている。図８に示すように、側板３７，３８は、洗面台２１と一体化され、側板３７，３８の前側の端面の下部は湾曲して上面２３と滑らかに接続している。
【００２１】
エアタオル部５０は、手についた水を吹き飛ばして手を適度に乾燥させるエアを吹き出す。図４に示すように、エアタオル部５０は、左右方向２において吐水部３０と洗浄剤吐出部４０との間に配置されている。エアタオル部５０には、２つの吹出口５１，５２が形成されている。吹出口（第１の吹出口）５１は、洗面ボウル２２の右側半分に向けられ、吹出口（第２の吹出口）５２は、洗面ボウル２２の左側半分に向けられている。すなわち、エアタオル部５０の吹出口５１，５２からは、洗面台２１の上方から洗面ボウル２２の右側及び左側に向かってエアが吹き出す。
【００２２】
エアタオル部５０の側面（側方）には、吸気口５３，５４が形成されている。また、吸気口５３，５４に接するエアタオル部５０の側方（吸気口の近傍）に、芳香剤５５，５６が配置されている。
【００２３】
エアタオル部５０の下側には、吹出口５１，５２から下側に向かうにしたがって後側に傾斜する傾斜面が設けられている。これらの傾斜面近傍のエアタオル部５０の内部に、使用者の手がそれぞれの傾斜面の下側に配置されたことを感知可能なセンサ５７，５８が内蔵されている。
【００２４】
図１に示すように、上側キャビネット７０には、ミラー扉７１と、収納棚７５，７６，７７が設けられている。ミラー扉７１の左側の後面は、図示略のヒンジを介して収納棚７５，７７の左側の端部の前面に接続されている。ミラー扉７１の右側の端部の後面は、図示略のマグネットによって収納棚７５，７６の右側の端部の前面に対して着脱可能になっている。このような構成によって、ミラー扉７１は、右側の端部で開閉可能になっている。収納棚７６，７７は、収納棚７５の下側に、左右方向２においてエアタオル部５０の左右方向２の幅よりやや大きい隙間（すなわち、芳香剤５５，５６を配置可能な隙間）をあけて配置されている。エアタオル部５０の上部（少なくとも、吹出口５１，５２の上端より上側の部分）は、収納棚７６，７７同士の間の空間に嵌まった状態で取付板９０に取り付けられており、ミラー扉７１が閉じている際にミラー扉７１によって覆われる。
【００２５】
下側キャビネット８０は、前板８１、右側板８２、左側板８３及び取付用Ｌ字治具８４，８４で構成され、底板を有していない。下側キャビネット８０の上側は洗面台２１で塞がれ、下側キャビネット８０の下側は開放されている。前板８１の左側の端部の後面は、図示略のヒンジを介して左側板８３の前面に接続されている。前板８１の左側の端部の後面は、図示略のマグネットによって右側板８２の前面に対して着脱可能になっている。このような構成によって、前板８１は、右側の端部で開閉可能になっている。右側板８２及び左側板８３はそれぞれ、取付用Ｌ字治具８４を介して壁面に取り付けられている。
【００２６】
下側キャビネット８０の内部には、不図示の水道管等によって壁面の後方から供給される水を一旦貯留するタンク９１、タンク９１から吐水部３０に水を供給する給水管９２、洗浄剤が貯留されたタンク９３、タンク９３から洗浄剤吐出部４０に洗浄剤を供給する供給管９４、排水口３５から排水された水を床面５の下方の排水管（図示略）に流すための排水管９５、その他にセンサ３２，４２，５７，５８を作動させるための電気機器、コード類が収められている。
【００２７】
以上説明した本実施形態の手洗い装置２０では、使用者は、洗面ボウル２２の内部７の右側で、吐水部３０から吐水される水で手を洗う。場合に応じて、使用者は、内部７の左側で、洗浄剤吐出部４０から吐出される洗浄液で手を洗浄し、内部７の右側で再び手を水で洗う。手洗い装置２０では、洗面台２１の後側（すなわち、吐水部３０及び洗浄剤吐出部４０と同じ側）で、吐水部３０及び洗浄剤吐出部４０より上方にエアタオル部５０が設置されているので、エアタオル部５０から吹き出すエア１０１，１０２が図８に矢印で示すように洗面台２１の上方から洗面ボウル２２に向かう。つまり、手洗い装置２０によれば、使用者が洗面台２１で手洗いと手の乾燥を一連の動作として容易に行うことができる。その際に、手から落ちる雫を下方の洗面ボウル２２で受けて排水口３５に導くことができる。また、吐水部３０、洗浄剤吐出部４０及びエアタオル部５０が全て洗面台の後側に揃っていることによって、従来のように吐水部３０及び洗浄剤吐出部４０の感知領域とエアタオル部５０の感知領域とが重ならないように洗面台２１の前後方向１の大きさを大きくする必要がなく、手洗い装置２０の前後方向１の大きさを従来では実現困難な大きさまで飛躍的に縮小できる。一例として、手洗い装置２０の前後方向１の大きさを（エアタオル部の前後方向１の大きさ＋５０ｍｍ）まで縮小できる。エアタオル部の前後方向１の大きさが２００ｍｍであれば、手洗い装置２０の前後方向１の大きさは２５０ｍｍとなる。また、前述のようにエア１０１，１０２が洗面台２１の上方から洗面ボウル２２に到達する際に、手に当たらないエア１０１，１０２を吐水部３０や洗浄剤吐出部４０及び洗面台２１に対して上方から到達させ、水滴や埃を除去し、所謂水切りできる。したがって、手洗い装置２０によれば、コンパクト化を実現し、吐水部３０及び洗浄剤吐出部４０を含む洗面台２１を清潔に保つことができる。
【００２８】
また、エア１０１，１０２が洗面台２１の上方から洗面ボウル２２に向かうことによって、上面２３や吐水部３０及び洗浄剤吐出部４０の表面の水滴や埃を除去されるので、手の乾燥後には水滴や埃が洗面台２１に殆ど残らず、僅かに残ったとしても内周面２４に収められる。このことによって、洗面台２１の清掃は内周面２４の清掃で済み、手洗い装置２０の清掃時間を短縮できる。
【００２９】
また、本実施形態の手洗い装置２０によれば、平面視において、エアタオル部５０が吐水部３０と洗浄剤吐出部４０との間に配置されているので、使用者が水による手洗いと洗浄液による手洗いとを略同じ位置で行うことができる。
【００３０】
また、本実施形態の手洗い装置２０によれば、吹出口５１は洗面ボウル２２の右側半分に向けられ、吹出口５２は洗面ボウル２２の左側半分に向けられているので、使用者の右手にエア１０１を当て、左手にエア１０２を当て、両手に付着している水滴を迅速に除去し、手を乾かすことができる。
【００３１】
また、本実施形態の手洗い装置２０によれば、吐水部３０の右側に側板３７が設けられ、洗浄剤吐出部４０の左側に側板３８が設けられ、側板３７，３８は洗面台２１と一体化されているので、吐水部３０から吐出された水やエア１０１，１０２によって使用者の手から除去された水によるしぶきが洗面台２１の側方へ跳ねることを防止できる。また、洗面ボウル２２の内部７に到達したエア１０１，１０２が上方に向かって跳ね返った際に、側板３７，３８によってエア１０１，１０２を洗面ボウル２２上方の手を乾燥させる位置に向かって戻し、循環させることができる。エア１０１，１０２を循環させることによって、使用者の手の乾燥や手洗い装置２０に流れる空気や匂いの拡散を促進できる。
【００３２】
また、本実施形態の手洗い装置２０によれば、洗面ボウル２２の内周面２４はＲ面取りされているので、洗面台２１の上面２３や洗面ボウル２２の水切り及び乾燥が促進され、カビやヌメリの発生を防止し、洗面台２１をより清潔に保つことができる。
【００３３】
また、本実施形態の手洗い装置２０によれば、エアタオル部５０の側方に吸気口５３，５４が形成されているので、吹出口５１，５２と吸気口５３，５４とを共存させ、エアタオル部５０をコンパクトにすると共にエア１０１，１０２の循環速度を向上させることができる。
【００３４】
また、本実施形態の手洗い装置２０によれば、吸気口５３，５４の近傍に芳香剤５５，５６が配置されているので、芳香剤５５，５６の香りをエア１０１，１０２にのせて手洗い装置２０の設置空間に提供できる。芳香剤５５，５６の香りを変更することによって、手洗い装置２０の設置空間に様々な香りを提供できる。
【００３５】
また、本実施形態の手洗い装置２０によれば、洗面ボウル２２の前面２５、右側面２６及び左側面２７はそれぞれ、底部から高くなるにしたがって洗面ボウル２２の平面視中心に近づくように、後側、左側及び右側にそれぞれ傾斜しているので、エアタオル部５０から内部７に到達したエア１０１，１０２を、手を乾燥させる位置に戻すことができる。このことによって、手の乾燥を促進できる。
【００３６】
以上、本発明の好ましい実施形態について詳述したが、本発明は係る特定の実施形態に限定されるものではなく、特許請求の範囲内に記載された本発明の要旨の範囲内において、種々の変更が可能である。
【００３７】
例えば、上述の実施形態では、エアタオル部５０の少なくとも上部が上側キャビネット７０に収容されているが、エアタオル部５０は、上側キャビネット７０から露出していてもよい。また、上側キャビネット７０は、省略されてもよい。
【００３８】
例えば、上述の実施形態では、エアタオル部５０として、上述のように吹出口５１，５２が形成され、センサ５７，５８を備える１つのエアタオル装置を採用できる。しかしながら、エアタオル部５０は、吹出口５１が形成され、かつセンサ５７を備えるエアタオル装置と、吹出口５２が形成され、かつセンサ５８を備えるエアタオル装置との組み合わせによって構成されていてもよい。
また、芳香剤５５の香りをエア１０１，１０２にのせることができれば、芳香剤５５はエアタオル部５０の内部に配置されてもよい。
【００３９】
また、例えば、吹出口５１，５２は連結され、１つの吹出口を構成してもよい。さらに、１つの吹出口が床面５に対して平行に形成されていてもよい。すなわち、エアタオル部の吹出口が洗面台２１の後側、かつ洗面ボウル２２の上方に配置されていれば、吹出口及びエアタオル装置の構成は詳細に限定されない。また、上述の実施形態とは逆に、吹出口５１は洗面ボウル２２の左側半分に向けられ、吹出口５２は洗面ボウル２２の右側半分に向けられ、吹出口５１，５２の吹き出すエアが互いに交差しても構わない。
【符号の説明】
【００４０】
２０  手洗い装置
２１  洗面台
２２  洗面ボウル
３０  吐水部
４０  洗浄剤吐出部
５０  エアタオル部
５１，５２  吹出口
１０１，１０２  エア
【図１】
2020081230.tif 000003
【図２】
2020081230.tif 000004
【図３】
2020081230.tif 000005
【図４】
2020081230.tif 000006
【図５】
2020081230.tif 000007
【図６】
2020081230.tif 000008
【図７】
2020081230.tif 000009
【図８】
2020081230.tif 000010